(57)【特許請求の範囲】
【請求項１】
第１光源に電流を出力して当該電流の電流値に応じた光出力で前記第１光源を点灯させる第１定電流電源部と、
第２光源に電流を出力して当該電流の電流値に応じた光出力で前記第２光源を点灯させる第２定電流電源部と、
調光信号を出力する調光信号出力装置から、当該調光信号を入力し、入力した調光信号のデューティ比と周期とを計測する調光信号計測部と、
前記第１定電流電源部を制御して前記調光信号計測部により計測された調光信号のデューティ比に対応する電流値の電流を前記第１定電流電源部から出力させるとともに、前記第２定電流電源部を制御して前記調光信号計測部により計測された調光信号の周期に対応する電流値の電流を前記第２定電流電源部から出力させる制御部と
を備えることを特徴とする光源点灯装置。
【請求項２】
前記制御部は、前記第１定電流電源部から出力される電流の電流値が前記調光信号計測部により計測された調光信号のデューティ比に対して略１次関数の関係をもつように前記第１定電流電源部を制御することを特徴とする請求項１の光源点灯装置。
【請求項３】
前記制御部は、前記第２定電流電源部から出力される電流の電流値が前記調光信号計測部により計測された調光信号の周期に対して略１次関数の関係をもつように前記第２定電流電源部を制御することを特徴とする請求項１又は２の光源点灯装置。
【請求項４】
前記制御部は、前記第１光源の光出力が前記調光信号計測部により計測された調光信号のデューティ比に対して略１次関数の関係をもつように前記第１定電流電源部を制御することを特徴とする請求項１の光源点灯装置。
【請求項５】
前記制御部は、前記第２光源の光出力が前記調光信号計測部により計測された調光信号の周期に対して略１次関数の関係をもつように前記第２定電流電源部を制御することを特徴とする請求項１又は４の光源点灯装置。
【請求項６】
前記制御部は、前記調光信号計測部により計測された調光信号のデューティ比が所定のデューティ比である場合、又は、前記調光信号計測部により計測された調光信号の周期が所定の周期である場合、前記第１光源と前記第２光源とを消灯させることを特徴とする請求項１から５のいずれかの光源点灯装置。
【請求項７】
前記制御部は、前記調光信号出力装置から前記調光信号が出力されていない場合、前記第１定電流電源部と前記第２定電流電源部とから最大電流値の電流を出力させることを特徴とする請求項１から６のいずれかの光源点灯装置。
【請求項８】
前記光源点灯装置は、さらに、第１モードと第２モードとを選択的に設定する選択部を備え、
前記制御部は、前記選択部により前記第１モードが設定されている場合、前記調光信号計測部により計測された調光信号のデューティ比に対応する電流値の電流を前記第１定電流電源部から出力させるとともに、前記調光信号計測部により計測された調光信号の周期に対応する電流値の電流を前記第２定電流電源部から出力させ、前記選択部により前記第２モードが設定されている場合、前記調光信号計測部により計測された調光信号のデューティ比と周期とのいずれか一方に対応する電流値の電流を前記第１定電流電源部と前記第２定電流電源部とから出力させることを特徴とする請求項１から７のいずれかの光源点灯装置。
【請求項９】
請求項１から８のいずれかの光源点灯装置と、
前記第１光源と、
前記第１光源と異なる色温度で点灯する前記第２光源と
を具備することを特徴とする照明器具。
【請求項１０】
前記第１光源と前記第２光源とは、ＬＥＤ（Ｌｉｇｈｔ・Ｅｍｉｔｔｉｎｇ・Ｄｉｏｄｅ）とＥＬ（Ｅｌｅｃｔｒｏ・Ｌｕｍｉｎｅｓｃｅｎｃｅ）とのいずれかであることを特徴とする請求項９の照明器具。
【請求項１１】
請求項１から８のいずれかの光源点灯装置と、
マイクロコンピュータで構成された前記調光信号出力装置と
を具備することを特徴とする調光システム。
【発明の詳細な説明】
【技術分野】
【０００１】
本発明は、光源としてＬＥＤ（Ｌｉｇｈｔ・Ｅｍｉｔｔｉｎｇ・Ｄｉｏｄｅ）、ＥＬ（Ｅｌｅｃｔｒｏ・Ｌｕｍｉｎｅｓｃｅｎｃｅ）等を用いた光源点灯装置及び照明器具及び調光システムに関するものである。
【背景技術】
【０００２】
従来、発光色又は色温度が異なる複数のＬＥＤ素子を有する照明装置において、各色のＬＥＤに供給する電流の電流値を調整することにより混色光及び光量を任意に設定する技術が知られている（例えば、特許文献１参照）。また、同様の複数のＬＥＤ素子を有する照明装置において、１つの調光信号で色温度と光量とを調整できる技術がある（例えば特許文献２参照）。
【先行技術文献】
【特許文献】
【０００３】
【特許文献１】特開２００６−４０８７２号公報
【特許文献２】特開２０１０−１７６９８４号公報
【発明の概要】
【発明が解決しようとする課題】
【０００４】
例えば特許文献１の照明装置では、各発光色のＬＥＤの光量を調整する場合、調光コントローラから各ＬＥＤの光量を指示する調光信号をＬＥＤ点灯装置に入力して、ＬＥＤの光量を調整する。このとき調光信号としては一般的にアナログ信号（例えばＰＷＭ（パルス幅変調）信号やＤＣ（直流）電圧信号）が用いられる。従来は、このような調光信号の数が、発光色数に応じた数だけ必要となり、例えば調光信号としてＰＷＭ信号を用い、発光色が異なる２種類のＬＥＤを用いた場合はＰＷＭ信号が２ｃｈ（チャンネル）分必要となっていた。このため、調光コントローラとＬＥＤ点灯装置とを結ぶ信号線の数やＬＥＤ点灯装置の調光信号受信端子の数が信号数に応じた数だけ必要となっていた。そこで、例えば特許文献２の照明装置では、１つの調光信号（ＰＷＭ信号）のみで色温度及び光量が連動して増減するようにして各発光色のＬＥＤの光量を決定するようにしている。しかしながら各発光色のＬＥＤの光量を独立して調節するといった操作を調光コントローラからすることはできないという課題があった。
【０００５】
本発明は、例えば、簡単な回路構成により、互いに発光色の異なる複数の光源の光量をそれぞれ独立して制御することを目的とする。
【課題を解決するための手段】
【０００６】
本発明の一の態様に係る光源点灯装置は、
第１光源に電流を出力して当該電流の電流値に応じた光出力で前記第１光源を点灯させる第１定電流電源部と、
第２光源に電流を出力して当該電流の電流値に応じた光出力で前記第２光源を点灯させる第２定電流電源部と、
前記第１光源と前記第２光源との両方を調光するための調光信号のデューティ比と周期とを制御して当該調光信号を出力する調光信号出力装置から、当該調光信号を入力し、入力した調光信号のデューティ比と周期とを計測する調光信号計測部と、
前記第１定電流電源部を制御して前記調光信号計測部により計測された調光信号のデューティ比に対応する電流値の電流を前記第１定電流電源部から出力させるとともに、前記第２定電流電源部を制御して前記調光信号計測部により計測された調光信号の周期に対応する電流値の電流を前記第２定電流電源部から出力させる制御部とを備える。
【発明の効果】
【０００７】
本発明の一の態様では、光源点灯装置において、制御部が、調光信号のデューティ比に対応する電流値の電流を、第１光源を点灯させる第１定電流電源部から出力させるとともに、調光信号の周期に対応する電流値の電流を、第２光源を点灯させる第２定電流電源部から出力させる。このため、簡単な回路構成により、互いに発光色の異なる複数の光源の光量をそれぞれ独立して制御することが可能となる。
【図面の簡単な説明】
【０００８】
【図１】実施の形態１に係る（ａ）照明器具の側方視断面図、（ｂ）光源点灯装置の回路図。
【図２】実施の形態１に係る（ａ）調光信号の波形の一例を示す図、（ｂ）調光コントローラの一例を示す図、（ｃ）調光信号の周波数とＬＥＤ電流との関係を示すグラフ、（ｄ）調光信号の周期とＬＥＤ電流との関係を示すグラフ。
【図３】実施の形態１に係る（ａ）調光信号の周期に対応する目標電流値の設定テーブル、（ｂ）調光信号のデューティ比に対応する目標電流値の設定テーブル。
【図４】実施の形態１に係る（ａ）調光信号のデューティ比とＬＥＤ電流との関係を示すグラフ、（ｂ）ＬＥＤ電流と光出力との関係を示すグラフ。
【図５】実施の形態１に係る（ａ）調光信号の周期と光出力との関係を示すグラフ、（ｂ）調光信号のデューティ比と光出力との関係を示すグラフ。
【図６】実施の形態２に係る光源点灯装置の回路図。
【図７】実施の形態２に係る（ａ）調光信号選択部の構成の第１例を示す図、（ｂ）調光信号選択部の構成の第２例を示す図、（ｃ）調光信号選択部の構成の第３例を示す図。
【発明を実施するための形態】
【０００９】
以下、本発明の実施の形態について、図を用いて説明する。
【００１０】
実施の形態１．
図１（ａ）は、本実施の形態に係る照明器具１０の側方視断面図である。
【００１１】
図１（ａ）において、照明器具１０は、器具本体１１と、電源線１２と、コネクタ１３と、ＬＥＤ１４ａ（第１光源）及びＬＥＤ１４ｂ（第２光源）と、基板１５と、配線１６と、光源点灯装置２０とを備える。
【００１２】
器具本体１１の内部には、光源点灯装置２０が収納され、電源線１２、コネクタ１３を介して外部の商用電源に接続される。色温度の異なるＬＥＤ１４ａ，１４ｂ（ＬＥＤパッケージ）が実装された基板１５は、ＬＥＤ１４ａ，１４ｂの発光面が器具本体１１の開口部を向くように器具本体１１の内側に装着され、配線１６により光源点灯装置２０に接続される。ＬＥＤ１４ａ，１４ｂは、４個ずつ交互に、即ち、同じ色温度のＬＥＤが隣り合わないように、略直線状で１列に配置される。図示していないが、光源点灯装置２０には調光信号入力端子が設けられており、この調光信号入力端子には、後述する調光コントローラからの調光信号線が接続される。
【００１３】
なお、本実施の形態において、ＬＥＤ１４ａ，１４ｂの数はそれぞれ４個に限らず、３個以下でもよいし、５個以上でもよい。また、ＬＥＤ１４ａ，１４ｂの並べ方は交互でなくてもよく、例えばＬＥＤ１４ａ，１４ｂが２個ずつ順番に並べられてもよい。また、ＬＥＤ１４ａ，１４ｂの配置は直線状に限らず、例えばリング状でもよい。また、ＬＥＤ１４ａ，１４ｂは１列ではなく、複数列に配置されてもよい。また、光源としてＬＥＤ１４ａ，１４ｂの代わりにＥＬ等が用いられてもよい。
【００１４】
図１（ｂ）は、光源点灯装置２０の回路図である。
【００１５】
光源点灯装置２０は、商用交流電源２１より電力の供給を受けてＬＥＤ１４ａ，１４ｂを点灯させる装置である。光源点灯装置２０は、調光コントローラ３２（調光信号出力装置）とともに、ＬＥＤ１４ａ，１４ｂを調光する調光システムを構成している。
【００１６】
図１（ｂ）において、光源点灯装置２０は、整流回路２２と、昇圧チョッパ回路からなる力率改善回路２３と、制御ＩＣ２５と、力率改善回路２３の後段に接続された第１降圧チョッパ回路２６ａ（第１定電流電源部）及び第２降圧チョッパ回路２６ｂ（第２定電流電源部）と、制御部２９とを備える。整流回路２２は、例えばダイオードブリッジとして構成される。力率改善回路２３は、スイッチング素子２４等で構成される。第１降圧チョッパ回路２６ａは、スイッチング素子２７ａ、ＬＥＤ電流検出抵抗２８ａ等で構成される。第２降圧チョッパ回路２６ｂは、スイッチング素子２７ｂ、ＬＥＤ電流検出抵抗２８ｂ等で構成される。制御部２９は、マイコン３０（マイクロコンピュータ）（調光信号計測部）、降圧チョッパ制御部３１で構成される。
【００１７】
整流回路２２と力率改善回路２３とは、商用交流電源２１の交流電圧を直流電圧に変換する交流−直流変換部を構成する。整流回路２２は、商用交流電源２１から供給される交流電圧を全波整流して脈流電圧を出力する。力率改善回路２３は、制御ＩＣ２５によりスイッチング素子２４が駆動及び制御され、これによって入力電流の波形を正弦波状に制御し、力率を改善する目的で設けられている。また、力率改善回路２３は、整流回路２２から出力された脈流電圧を昇圧及び平滑化し、一定の直流電圧を出力する。なお、力率改善を行わない場合は、直流電圧を生成する回路構成であれば、交流−直流変換部は、整流回路２２と力率改善回路２３とからなる構成以外の回路構成をとってもよく、例えばコンデンサインプット形整流回路としてもよい。この場合コンデンサインプット形整流回路の後段に第１降圧チョッパ回路２６ａ及び第２降圧チョッパ回路２６ｂを接続し、コンデンサインプット形整流回路を共有化する。
【００１８】
第１降圧チョッパ回路２６ａ及び第２降圧チョッパ回路２６ｂには、互いに異なる色温度のＬＥＤ１４ａ，１４ｂが接続される。例えば、第１降圧チョッパ回路２６ａには、色温度３０００Ｋ（ケルビン）のＬＥＤ１４ａが接続され、第２降圧チョッパ回路２６ｂには、色温度５０００ＫのＬＥＤ１４ｂが接続される。第１降圧チョッパ回路２６ａ及び第２降圧チョッパ回路２６ｂは、ＬＥＤ１４ａ，１４ｂに電流を供給してＬＥＤ１４ａ，１４ｂを点灯させる。これにより色温度３０００Ｋの光と色温度５０００Ｋの光とを混合して、その中間の色温度をもつ混色光を得ることができる。第１降圧チョッパ回路２６ａ及び第２降圧チョッパ回路２６ｂは、制御部２９内にある降圧チョッパ制御部３１によりスイッチング素子２７ａ，２７ｂが駆動及び制御され、これによってＬＥＤ１４ａ，１４ｂに供給する電流の電流値を調節し、両者の光量の割合を調整することができる。そのため、色温度３０００〜５０００Ｋの間で、ＬＥＤ１４ａ，１４ｂ全体の色温度を任意の色温度に調整することができる。
【００１９】
なお、ＬＥＤ１４ａ，１４ｂの色温度は、３０００Ｋと５０００Ｋとの組み合わせ以外の組み合わせであってもよい。また、ＬＥＤ１４ａ，１４ｂは、他の種類の光源でもよい。例えば、光源として、第１降圧チョッパ回路２６ａ及び第２降圧チョッパ回路２６ｂに互いに異なる色温度のＥＬを接続してもよい。また、第１降圧チョッパ回路２６ａ及び第２降圧チョッパ回路２６ｂは、ＬＥＤ１４ａ，１４ｂに電流を供給できる回路であれば、他の方式の回路でもよく、フライバックコンバータ等でもよい。
【００２０】
調光コントローラ３２は、光源点灯装置２０の外部に設けられ、使用者が照明器具１０の色温度や調光率を任意に設定するためのユーザインタフェースを有する機器である。調光コントローラ３２は、例えば壁に設けられたスライド式ボリュームや、リモコン等として実装される。調光コントローラ３２は、照明器具１０の色温度や調光率を使用者により設定されたものに調整するため、光源点灯装置２０に調光信号を出力する。調光信号は、ＬＥＤ１４ａ，１４ｂに供給する電流の電流値、即ち、ＬＥＤ１４ａ，１４ｂの光出力を指定するＰＷＭ信号である。調光信号は、制御部２９に入力され、制御部２９内に設けられたマイコン３０で解読される。マイコン３０にて調光信号からＬＥＤ１４ａ，１４ｂに供給するべき電流の電流値が決定すると、マイコン３０は、降圧チョッパ制御部３１にＬＥＤ電流の目標電流値（指令値）を通知する。降圧チョッパ制御部３１は、マイコン３０から通知された目標電流値の電流を第１降圧チョッパ回路２６ａ及び第２降圧チョッパ回路２６ｂからＬＥＤ１４ａ，１４ｂに供給させる。
【００２１】
以下、光源点灯装置２０の動作について説明する。
【００２２】
商用交流電源２１から整流回路２２を介して電源が投入されると、力率改善回路２３、第１降圧チョッパ回路２６ａ、第２降圧チョッパ回路２６ｂが動作を開始して、ＬＥＤ１４ａ，１４ｂに電流が供給される。このとき、ＬＥＤ１４ａ，１４ｂに供給される電流の電流値は、調光コントローラ３２より出力される調光信号に従って設定される。前述したように照明器具１０の色温度を３０００〜５０００Ｋの間で任意に設定できるようにするには、ＬＥＤ１４ａ，１４ｂのそれぞれの光出力を独立して制御する必要がある。そのため、調光信号は、ＬＥＤ１４ａの目標電流値を設定する情報とＬＥＤ１４ｂの目標電流値を設定する情報とを両方載せていなければならない。そこで、本実施の形態では、１つのＰＷＭ信号のデューティ比にＬＥＤ１４ａの目標電流値を割り当て、周期にＬＥＤ１４ｂの目標電流値を割り当てる。これにより、調光信号は１つのＰＷＭ信号のみで、ＬＥＤ１４ａ，１４ｂのそれぞれの光出力を制御するための情報（目標電流値を設定する情報）を載せることができる。
【００２３】
図２（ａ）は、調光信号の波形の一例を示す図である。
【００２４】
調光コントローラ３２から制御部２９に入力された調光信号は、マイコン３０にて解析される。マイコン３０は、図２（ａ）に示すように、入力された調光信号の立ち上がりエッジから次の立ち下りエッジまでの期間Ａと、立ち上がりエッジから次の立ち上がりエッジまでの期間Ｂとを計測する。期間Ｂより、入力された調光信号の周期が求まる。また、期間Ａ及び期間Ｂより、Ａ／Ｂ×１００を計算すると、入力された調光信号のデューティ比が求まる。マイコン３０は、調光信号の周期及びデューティ比から第１降圧チョッパ回路２６ａの出力電流と第２降圧チョッパ回路２６ｂの出力電流との目標電流値を決定する。目標電流値が決定すると、目標電流値の設定信号がマイコン３０より出力され、降圧チョッパ制御部３１に入力される。降圧チョッパ制御部３１は、ＬＥＤ１４ａ，１４ｂに流れている電流の電流値をＬＥＤ電流検出抵抗２８ａ，２８ｂから検出し、検出した電流値と目標電流値とを比較し、ＬＥＤ１４ａ，１４ｂの電流値を目標電流値に近づけるようにスイッチング素子２７ａ，２７ｂを制御する。
【００２５】
調光コントローラ３２より出力される調光信号がデューティ比１００％（所定のデューティ比）の信号であった場合、マイコン３０は、これを消灯信号と認識して第１降圧チョッパ回路２６ａ及び第２降圧チョッパ回路２６ｂの動作を停止させ、ＬＥＤ１４ａ，１４ｂを消灯させる。これにより商用交流電源２１を遮断しなくても、調光コントローラ３２からＬＥＤ１４ａ，１４ｂを消灯させることができる。また、マイコン３０は、調光コントローラ３２から調光信号が入力されていないと判断すると、第１降圧チョッパ回路２６ａ及び第２降圧チョッパ回路２６ｂに最大出力電流値の電流を出力させ、ＬＥＤ１４ａ，１４ｂを全光点灯させる。これにより調光コントローラ３２を接続しなくても、光源点灯装置２０がＬＥＤ１４ａ，１４ｂを最大光量で点灯させるように動作する。このため、光源点灯装置２０を色温度が固定で調光を行わない照明器具にも利用することができる。
【００２６】
なお、マイコン３０は、調光コントローラ３２より出力される調光信号の周期が所定の周期であった場合に、その調光信号を消灯信号と認識してもよい。
【００２７】
このように、本実施の形態では、１つのＰＷＭ信号のみでＬＥＤ１４ａ，１４ｂのそれぞれに供給する電流の目標電流値を独立して設定することができ、さらに消灯制御、全光点灯制御も可能となる。したがって光源点灯装置２０の制御部２９の回路構成を簡素化でき、さらに調光コントローラ３２から光源点灯装置２０までを接続する信号線数も削減することができる。これにより装置の小型化、低コスト化が可能となる。
【００２８】
図２（ｂ）は、調光コントローラ３２の一例を示す図である。
【００２９】
図２（ｂ）の例では、調光コントローラ３２が、ユーザインタフェースとして２つのスライド式ボリューム３２ａ，３２ｂを有する。スライド式ボリューム３２ａは、３０００ＫのＬＥＤ１４ａに対応し、スライド式ボリューム３２ｂは、５０００ＫのＬＥＤ１４ｂに対応している。３０００Ｋと表示されたボリュームをスライドさせれば、調光コントローラ３２から出力される調光信号のデューティ比を変化させて、ＬＥＤ１４ａに供給する電流の電流値を変えることができる。５０００Ｋと表示されたボリュームをスライドさせれば、調光信号の周期を変化させて、ＬＥＤ１４ｂに供給する電流の電流値を変えることができる。
【００３０】
なお、調光コントローラ３２は、上記のようなスライド式ボリューム３２ａ，３２ｂの代わりに、ＬＥＤ１４ａ，１４ｂに対応するダイヤル、リモコン、押しボタン等を有していてもよい。また、調光コントローラ３２は、例えばスライド式ボリューム３２ａに明るさ、スライド式ボリューム３２ｂに色温度を割り当て、スライド式ボリューム３２ａをスライドさせれば色温度が固定で明るさのみ変わるように調光コントローラ３２に予め設定された周期及びデューティ比のＰＷＭ信号を出力し、スライド式ボリューム３２ｂをスライドさせれば明るさが固定で色温度のみ変わるように調光コントローラ３２に予め設定された周期及びデューティ比のＰＷＭ信号を出力するようにしてもよい。
【００３１】
図２（ｃ）は、調光信号の周波数とＬＥＤ電流との関係を示すグラフである。
【００３２】
調光信号の変化に応じて光出力がリニアに変化するように制御を行うためには、図２（ｃ）に示すように、調光信号の周波数に対して第２降圧チョッパ回路２６ｂの出力電流の目標電流値を１次関数となる関係で割り付けることが考えられる。
【００３３】
調光コントローラ３２から調光信号として出力するＰＷＭ信号の生成は、一般的な方式と同様に、調光コントローラ３２内部のマイコン（図示せず）で行うことができる。調光コントローラ３２のマイコンが８ビットのカウンタ（タイマー）を備えており、このカウンタを、ＰＷＭ信号の周期を設定するための周期カウンタとして利用することを想定すると、例えば周期カウンタは０〜２５５（＝２８−１）の間で設定することができる。周期カウンタの値をＮ、周期カウンタのクロック周波数をｆｃ、ＰＷＭ信号の周波数をｆｄとすると、ＰＷＭ信号の周波数ｆｄはｆｄ＝１／（（Ｎ＋１）／ｆｃ）で表される。例えばＰＷＭ信号の周波数ｆｄの範囲を１００〜１０００Ｈｚ（ヘルツ）、カウントクロック周波数ｆｃを２５ｋＨｚ（キロヘルツ）と仮定すると、周期カウンタＮ＝２４９のとき、周波数ｆｄ＝１００Ｈｚ、周期カウンタＮ＝２４のとき、周波数ｆｄ＝１０００Ｈｚとなる。よって、周期カウンタＮは２４９〜２４の間で変化し、これに従って、ＰＷＭ信号の周波数ｆｄが変化することとなる。
【００３４】
ここで、ＰＷＭ信号の周波数分解能について考えてみる。周期カウンタＮ＝２４９の場合、周波数ｆｄ＝１００Ｈｚであり、次ステップでは、周期カウンタＮ＝２４８なので、周波数ｆｄ＝１００．４Ｈｚとなる。このときの差分周波数、即ち分解能は０．４Ｈｚである。一方、周期カウンタＮ＝２５の場合、周波数ｆｄ＝９６１．５Ｈｚであり、次ステップでは、周期カウンタＮ＝２４なので、周波数ｆｄ＝１０００Ｈｚとなる。このときの差分周波数、即ち分解能は３８．５Ｈｚである。よって、図２（ｃ）に示すように、ＰＷＭ信号の周波数ｆｄに対して第２降圧チョッパ回路２６ｂの出力電流の目標電流値を１次関数となる関係で割り付けた場合、周波数ｆｄが高くなるほど調光コントローラ３２から出力できるＰＷＭ信号の周波数分解能が低くなり、それに伴い第２降圧チョッパ回路２６ｂの出力電流の最小調整幅、即ち電流の出力分解能も低くなってしまう。このため、ＰＷＭ信号の周波数ｆｄが高いと、ＬＥＤ１４ｂの光出力が急変する現象が発生してしまい、スムーズな色温度の調整や調光点灯ができなくなる。
【００３５】
図２（ｄ）は、調光信号の周期とＬＥＤ電流との関係を示すグラフである。
【００３６】
本実施の形態では、調光信号の変化に応じて光出力がリニアに変化するように制御を行うため、図２（ｄ）に示すように、調光信号の周波数ではなく、調光信号の周期に対して第２降圧チョッパ回路２６ｂの出力電流の目標電流値を１次関数となる関係で割り付ける。
【００３７】
上記のように、調光コントローラ３２のマイコンが備える８ビットのカウンタを周期カウンタとして利用することを想定し、周期カウンタの値をＮ、周期カウンタのクロック周波数をｆｃ、ＰＷＭ信号の周期をｔｄとすると、ＰＷＭ信号の周期ｔｄはｔｄ＝（Ｎ＋１）／ｆｃで表される。例えばＰＷＭ信号の周期ｔｄの範囲を１ｍｓ（ミリ秒）（このときの周波数ｆｄは１０００Ｈｚ）から１０ｍｓ（このときの周波数ｆｄは１００Ｈｚ）の間、カウントクロック周波数ｆｃを２５ｋＨｚと仮定すると、周期カウンタＮ＝２４９のとき、周期ｔｄ＝１０ｍｓ、周期カウンタＮ＝２４のとき、周期ｔｄ＝１ｍｓとなる。よって、周期カウンタＮは２４９〜２４の間で変化し、これに従って、ＰＷＭ信号の周期ｔｄが変化することとなる。
【００３８】
ここで、ＰＷＭ信号の周期分解能について考えてみる。周期カウンタＮ＝２４９の場合、周期ｔｄ＝１０ｍｓであり、次ステップでは、周期カウンタＮ＝２４８なので、周期ｔｄ＝９．９６ｍｓとなる。このときの差分周期、即ち分解能は０．０４ｍｓである。一方、周期カウンタＮ＝２５の場合、周期ｔｄ＝１．０４ｍｓであり、次ステップでは、周期カウンタＮ＝２４なので、周期ｔｄ＝１ｍｓとなる。このときの差分周期、即ち分解能は０．０４ｍｓである。よって、図２（ｄ）に示すように、ＰＷＭ信号の周期ｔｄに対して第２降圧チョッパ回路２６ｂの出力電流の目標電流値を１次関数となる関係で割り付けた場合、周期ｔｄがいかなる周期であっても調光コントローラ３２から出力できるＰＷＭ信号の周期分解能が一定であるので、第２降圧チョッパ回路２６ｂの出力電流の最小調整幅、即ち電流の出力分解能も常に一定となる。このため、ＬＥＤ１４ｂの光出力が急変する現象が発生せず、スムーズな色温度の調整や調光点灯ができる。
【００３９】
図３（ａ）は、調光信号の周期に対応する目標電流値の設定テーブル４０ｂである。図３（ｂ）は、調光信号のデューティ比に対応する目標電流値の設定テーブル４０ａである。図４（ａ）は、調光信号のデューティ比とＬＥＤ電流との関係を示すグラフである。
【００４０】
本実施の形態では、調光信号の周期に対して第２降圧チョッパ回路２６ｂの出力電流の目標電流値を１次関数となる関係で割り付ける方法として、図３（ａ）に示すような設定テーブル４０ｂがマイコン３０で利用される。設定テーブル４０ｂは、マイコン３０で動作するプログラム内部に設定され、あるいは、当該プログラムがアクセスする記憶装置に記憶されている。設定テーブル４０ｂでは、調光信号の周期に対して第２降圧チョッパ回路２６ｂの出力電流の目標電流値が割り付けられている。ここでは、マイコン３０が降圧チョッパ制御部３１に２つのＰＷＭ信号として第１ＰＷＭ信号と第２ＰＷＭ信号とを出力するものとする。設定テーブル４０ｂでは、目標電流値として、マイコン３０が出力する第２ＰＷＭ信号のデューティ比が設定されている。マイコン３０は、設定テーブル４０ｂを参照し、調光コントローラ３２から入力された調光信号の周期に基づいてデューティ比を制御した第２ＰＷＭ信号を目標電流値の設定信号として出力する。降圧チョッパ制御部３１は、マイコン３０から出力された第２ＰＷＭ信号のデューティ比に応じて、第２降圧チョッパ回路２６ｂのスイッチング素子２７ｂをオン／オフ制御する。このため、マイコン３０から出力される第２ＰＷＭ信号のデューティ比を変えることで、第２降圧チョッパ回路２６ｂからＬＥＤ１４ｂに印加される電流の電流値を調節することができる。
【００４１】
同様に、本実施の形態では、調光信号のデューティ比に対して第１降圧チョッパ回路２６ａの出力電流の目標電流値を１次関数となる関係で割り付ける。その方法として、図３（ｂ）に示すような設定テーブル４０ａがマイコン３０で利用される。設定テーブル４０ａは、マイコン３０で動作するプログラム内部に設定され、あるいは、当該プログラムがアクセスする記憶装置に記憶されている。設定テーブル４０ａでは、調光信号のデューティ比に対して第１降圧チョッパ回路２６ａの出力電流の目標電流値が割り付けられている。設定テーブル４０ａでは、目標電流値として、マイコン３０が出力する第１ＰＷＭ信号のデューティ比が設定されている。マイコン３０は、設定テーブル４０ａを参照し、調光コントローラ３２から入力された調光信号のデューティ比に基づいてデューティ比を制御した第１ＰＷＭ信号を目標電流値の設定信号として出力する。降圧チョッパ制御部３１は、マイコン３０から出力された第１ＰＷＭ信号のデューティ比に応じて、第１降圧チョッパ回路２６ａのスイッチング素子２７ａをオン／オフ制御する。このため、マイコン３０から出力される第１ＰＷＭ信号のデューティ比を変えることで、第１降圧チョッパ回路２６ａからＬＥＤ１４ａに印加される電流の電流値を調節することができる。
【００４２】
なお、本実施の形態では、マイコン３０が調光信号のデューティ比及び周期に対応した設定テーブル４０ａ，４０ｂから第１降圧チョッパ回路２６ａ及び第２降圧チョッパ回路２６ｂの目標電流値を決定するが、マイコン３０は、調光信号のデューティ比及び周期を変数とした数式から第１降圧チョッパ回路２６ａ及び第２降圧チョッパ回路２６ｂの目標電流値を決定してもよい。また、本実施の形態では、マイコン３０が目標電流値の設定信号としてＰＷＭ信号を出力するが、内部にＤ／Ａコンバータ（デジタル／アナログ変換器）を有するマイコン３０を用い、マイコン３０から直接アナログ電圧を目標電流値の設定信号として出力し、降圧チョッパ制御部３１はマイコン３０から出力されたアナログ電圧信号に応じて第１降圧チョッパ回路２６ａ及び第２降圧チョッパ回路２６ｂのスイッチング素子２７ａ，２７ｂをオン／オフ制御してもよい。
【００４３】
上記のように、本実施の形態において、第１降圧チョッパ回路２６ａは、ＬＥＤ１４ａに電流を出力して当該電流の電流値に応じた光出力でＬＥＤ１４ａを点灯させる。第２降圧チョッパ回路２６ｂは、ＬＥＤ１４ｂに電流を出力して当該電流の電流値に応じた光出力でＬＥＤ１４ｂを点灯させる。調光コントローラ３２は、ＬＥＤ１４ａ，１４ｂの両方を調光するための調光信号のデューティ比と周期とを制御して当該調光信号を出力する。マイコン３０は、調光コントローラ３２から当該調光信号を入力する。そして、マイコン３０は、入力した調光信号のデューティ比と周期とを計測する。制御部２９（特に、降圧チョッパ制御部３１）は、第１降圧チョッパ回路２６ａを制御してマイコン３０により計測された調光信号のデューティ比に対応する電流値の電流を第１降圧チョッパ回路２６ａから出力させる。このとき、制御部２９は、第１降圧チョッパ回路２６ａから出力される電流の電流値がマイコン３０により計測された調光信号のデューティ比に対して略１次関数の関係をもつように第１降圧チョッパ回路２６ａを制御する。また、制御部２９（特に、降圧チョッパ制御部３１）は、第２降圧チョッパ回路２６ｂを制御してマイコン３０により計測された調光信号の周期に対応する電流値の電流を第２降圧チョッパ回路２６ｂから出力させる。このとき、制御部２９は、第２降圧チョッパ回路２６ｂから出力される電流の電流値がマイコン３０により計測された調光信号の周期に対して略１次関数の関係をもつように第２降圧チョッパ回路２６ｂを制御する。
【００４４】
本実施の形態によれば、上記のような構成を採用したため、簡単な回路構成により、互いに発光色の異なるＬＥＤ１４ａ，１４ｂの光量をそれぞれ独立して制御することが可能となる。
【００４５】
また、本実施の形態において、制御部２９は、マイコン３０により計測された調光信号のデューティ比が所定のデューティ比である場合、又は、マイコン３０により計測された調光信号の周期が所定の周期である場合、ＬＥＤ１４ａ，１４ｂを消灯させる。また、制御部２９は、調光コントローラ３２から調光信号が出力されていない場合、第１降圧チョッパ回路２６ａと第２降圧チョッパ回路２６ｂとから最大電流値の電流を出力させる。
【００４６】
以上のように、本実施の形態では、光源点灯装置２０の第１降圧チョッパ回路２６ａと第２降圧チョッパ回路２６ｂとに互いに異なる色温度のＬＥＤ１４ａ，１４ｂが接続されており、調光コントローラ３２がＬＥＤ１４ａ，１４ｂの電流の目標電流値を調光信号のデューティ比と周期とに割り付け、光源点灯装置２０が調光信号のデューティ比と周期とを計測するので、調光信号は１つのＰＷＭ信号のみでよい。したがって、光源点灯装置２０の制御部２９の回路構成を簡素化でき、さらに調光コントローラ３２から光源点灯装置２０までを接続する信号線の数が削減できる。これにより装置の小型化、低コスト化が可能となる。
【００４７】
また、本実施の形態によれば、上記のような光源点灯装置２０を照明器具１０に組み込むことにより、高効率、小型、低コストな色温度可変ＬＥＤ照明器具を構成することができる。
【００４８】
図４（ｂ）は、ＬＥＤ電流と光出力との関係を示すグラフである。図５（ａ）は、調光信号の周期と光出力との関係を示すグラフである。図５（ｂ）は、調光信号のデューティ比と光出力との関係を示すグラフである。
【００４９】
本実施の形態では、調光信号の変化に応じて光出力がリニアに変化するように制御を行うため、調光信号のデューティ比及び周期に対して第１降圧チョッパ回路２６ａ及び第２降圧チョッパ回路２６ｂの出力電流の目標電流値を１次関数となる関係で割り付ける。しかしながら、図４（ｂ）に示すように、ＬＥＤ電流と光出力との関係は厳密には比例関係にない。そこで、図５（ａ）及び（ｂ）に示すように、より厳密に調光信号と光出力とがリニアな関係を得る必要がある場合は、第１降圧チョッパ回路２６ａ及び第２降圧チョッパ回路２６ｂの出力電流の目標電流値を予め補正して設定してもよい（例えば、図４（ｂ）に示したＬＥＤ電流と光出力との関係に合わせて目標電流値を補正しておく）。これにより調光による急激な光出力の変化がなく、スムーズでリニアな色温度制御が可能となる。
【００５０】
上記のように、本実施の形態において、制御部２９は、ＬＥＤ１４ａの光出力がマイコン３０により計測された調光信号のデューティ比に対して略１次関数の関係をもつように第１降圧チョッパ回路２６ａを制御してもよい。また、制御部２９は、ＬＥＤ１４ｂの光出力がマイコン３０により計測された調光信号の周期に対して略１次関数の関係をもつように第２降圧チョッパ回路２６ｂを制御してもよい。
【００５１】
なお、本実施の形態において、グラフ等で示した調光信号の周期及びデューティ比の増減方向とＬＥＤ電流の増減方向との関係（例えば、調光信号の周期が長くなるとＬＥＤ電流の電流値が大きくなるという関係、デューティ比が大きくなるとＬＥＤ電流の電流値が小さくなるという関係）は一例に過ぎず、調光信号の周期及びデューティ比の増減方向とＬＥＤ電流の増減方向との間にいかなる関係（例えば、調光信号の周期が長くなるとＬＥＤ電流の電流値が小さくなるという関係、デューティ比が大きくなるとＬＥＤ電流の電流値が大きくなるという関係）があっても同様の効果を得ることができる。
【００５２】
実施の形態２．
本実施の形態について、主に実施の形態１との差異を説明する。
【００５３】
図６は、本実施の形態に係る光源点灯装置２０の回路図である。
【００５４】
本実施の形態では、光源点灯装置２０が、色温度固定の高出力光源点灯装置としても機能する。
【００５５】
図６において、光源点灯装置２０は、図１（ｂ）に示した実施の形態１と同様の構成要素を備えるが、制御部２９に調光信号選択部３３（選択部）を有する点で実施の形態１と異なる。
【００５６】
本実施の形態では、第１降圧チョッパ回路２６ａ及び第２降圧チョッパ回路２６ｂに、実施の形態１と同様に、互いに異なる色温度のＬＥＤ１４ａ，１４ｂが接続される場合と、同じ色温度のＬＥＤ１４ａ，１４ｂが接続される場合とがあり、それぞれの場合で光源点灯装置２０が異なる動作をする。
【００５７】
ここで、高出力のＬＥＤ照明器具では、明るさを得るために多数のＬＥＤ素子を使用する必要がある。多数のＬＥＤ素子を使用する場合、ＬＥＤ素子の接続方法としては、直列にＬＥＤ素子を接続する方法、並列にＬＥＤ素子を接続する方法、あるいは、その組み合わせでＬＥＤ素子を接続する方法が考えられる。
【００５８】
ＬＥＤ素子は特性上、順方向電圧の個体ばらつきが非常に大きく、順方向電圧が異なるＬＥＤ素子を並列接続すると、ＬＥＤ電流が順方向電圧の小さいＬＥＤ素子に集中して流れてしまう。そのため、各ＬＥＤ素子に電流が均等に流れず、電流が集中するＬＥＤ素子が発熱により、場合によっては破損するおそれがある。したがってＬＥＤ素子を並列に接続する場合は、各ＬＥＤ素子に電流を均等に流す手段として、例えばカレントミラー回路や、電流を制限する抵抗をＬＥＤ素子と直列に接続するといった対策が必要である。しかし、カレントミラー回路や抵抗を挿入すると、それによって導通損失が発生し、回路効率が低下してしまう。
【００５９】
ＬＥＤ素子を全て直列に接続すれば、回路効率の低下を抑えることができ、また、全てのＬＥＤ素子に均等に電流が流れる。しかしながらＬＥＤ素子の直列数が多くなると「ＬＥＤ順方向電圧×直列個数」で表される電圧が必要となるため、ＬＥＤ点灯装置が出力しなければならない電圧も高くなる。よって直列接続できるＬＥＤ素子の数には限りがある。
【００６０】
本実施の形態では、実施の形態１と同様に構成された光源点灯装置２０の第１降圧チョッパ回路２６ａ及び第２降圧チョッパ回路２６ｂに同じ色温度のＬＥＤ１４ａ，１４ｂを直列接続することができる。本実施の形態では、第１降圧チョッパ回路２６ａ及び第２降圧チョッパ回路２６ｂのそれぞれにＬＥＤ１４ａ，１４ｂを接続できるため、多数のＬＥＤ１４ａ，１４ｂを接続することができる。また、ＬＥＤ１４ａ，１４ｂは直列接続されているため、高効率となる。
【００６１】
なお、ＬＥＤ１４ａ，１４ｂは、他の種類の光源でもよい。例えば、光源として、第１降圧チョッパ回路２６ａ及び第２降圧チョッパ回路２６ｂに同じ色温度のＥＬを接続してもよい。また、実施の形態１と同様に、第１降圧チョッパ回路２６ａ及び第２降圧チョッパ回路２６ｂは、ＬＥＤ１４ａ，１４ｂに電流を供給できる回路であれば、他の方式の回路でもよく、フライバックコンバータ等でもよい。
【００６２】
第１降圧チョッパ回路２６ａ及び第２降圧チョッパ回路２６ｂに同じ色温度のＬＥＤ１４ａ，１４ｂを接続する場合、実施の形態１のように、ＬＥＤ１４ａ，１４ｂを独立して調光しなくてもよい。そこで、本実施の形態では、第１降圧チョッパ回路２６ａ及び第２降圧チョッパ回路２６ｂに同じ色温度のＬＥＤ１４ａ，１４ｂを接続する場合、調光コントローラ３２は、調光信号としてデューティ比のみが変化するＰＷＭ信号を出力する。このとき、調光信号選択部３３は、第１降圧チョッパ回路２６ａ及び第２降圧チョッパ回路２６ｂに同じ色温度のＬＥＤ１４ａ，１４ｂが接続されていることを制御部２９のマイコン３０に認識させておく。マイコン３０は、第１降圧チョッパ回路２６ａ及び第２降圧チョッパ回路２６ｂに同じ色温度のＬＥＤ１４ａ，１４ｂが接続されていることを認識すると、設定テーブル４０ａを参照し、調光コントローラ３２から入力された調光信号のデューティ比に基づいてデューティ比を制御した第１ＰＷＭ信号及び第２ＰＷＭ信号（１つのＰＷＭ信号でもよい）を目標電流値の設定信号として出力する。降圧チョッパ制御部３１は、マイコン３０から出力された第１ＰＷＭ信号及び第２ＰＷＭ信号のデューティ比に応じて、第１降圧チョッパ回路２６ａ及び第２降圧チョッパ回路２６ｂのスイッチング素子２７ａ，２７ｂをオン／オフ制御する。これにより、第１降圧チョッパ回路２６ａ及び第２降圧チョッパ回路２６ｂからＬＥＤ１４ａ，１４ｂに同じ電流値の電流が供給される。
【００６３】
なお、第１降圧チョッパ回路２６ａ及び第２降圧チョッパ回路２６ｂに同じ色温度のＬＥＤ１４ａ，１４ｂを接続する場合、調光コントローラ３２は、調光信号として周期のみが変化するＰＷＭ信号を出力してもよい。この場合、マイコン３０は、第１降圧チョッパ回路２６ａ及び第２降圧チョッパ回路２６ｂに同じ色温度のＬＥＤ１４ａ，１４ｂが接続されていることを認識すると、設定テーブル４０ｂを参照し、調光コントローラ３２から入力された調光信号の周期に基づいてデューティ比を制御した第１ＰＷＭ信号及び第２ＰＷＭ信号（１つのＰＷＭ信号でもよい）を目標電流値の設定信号として出力する。
【００６４】
図７（ａ）は、調光信号選択部３３の構成の第１例を示す図である。図７（ｂ）は、調光信号選択部３３の構成の第２例を示す図である。
【００６５】
調光信号選択部３３は、制御部２９のマイコン３０のポート（端子）に接続される。調光信号選択部３３は、図７（ａ）に示すように、マイコン３０のポートに対してポート電位をグラウンド側の電位とするプルダウン抵抗３４と、図７（ｂ）に示すように、ポート電位を電源電圧とするプルアップ抵抗３５とのいずれかを電源基板（図示せず）上に選択的に配置したものである。
【００６６】
マイコン３０のポートにプルダウン抵抗３４を接続した場合、マイコン３０は、第１降圧チョッパ回路２６ａと第２降圧チョッパ回路２６ｂとに、それぞれ異なる色温度のＬＥＤ１４ａ，１４ｂが接続された状態（第１モード）であると認識する。そして、マイコン３０は、実施の形態１と同様に、調光信号のデューティ比と周期とを測定し、設定テーブル４０ａ，４０ｂを参照して、調光信号のデューティ比と周期とに応じた目標電流値を、降圧チョッパ制御部３１を介して第１降圧チョッパ回路２６ａ及び第２降圧チョッパ回路２６ｂに設定する。これにより、マイコン３０は、ＬＥＤ１４ａ，１４ｂを独立して調光する。
【００６７】
一方、マイコン３０のポートにプルアップ抵抗３５を接続した場合、マイコン３０は、第１降圧チョッパ回路２６ａと第２降圧チョッパ回路２６ｂとに、同じ色温度のＬＥＤ１４ａ，１４ｂが接続された状態（第２モード）であると認識する。そして、マイコン３０は、調光信号のデューティ比を測定し、設定テーブル４０ａのみを参照して、調光信号のデューティ比に応じた目標電流値を、降圧チョッパ制御部３１を介して第１降圧チョッパ回路２６ａ及び第２降圧チョッパ回路２６ｂに設定する。これにより、マイコン３０は、ＬＥＤ１４ａ，１４ｂを同じ調光率で調光する。
【００６８】
なお、マイコン３０のポートにプルアップ抵抗３５が接続されていても、調光信号のデューティ比が１００％の場合、マイコン３０は、その調光信号を消灯信号と認識して第１降圧チョッパ回路２６ａ及び第２降圧チョッパ回路２６ｂの動作を停止させ、ＬＥＤ１４ａ，１４ｂを消灯させる。また、調光信号が入力されていない場合、マイコン３０は、第１降圧チョッパ回路２６ａ及び第２降圧チョッパ回路２６ｂに最大出力電流値の電流を出力させ、ＬＥＤ１４ａ，１４ｂを全光点灯させる。
【００６９】
図７（ｃ）は、調光信号選択部３３の構成の第３例を示す図である。
【００７０】
調光信号選択部３３の構成は、図７（ａ）及び（ｂ）に示したものに限らず、マイコン３０のポートに、２つのモード（第１モード及び第２モード）のどちらを選択しているかを示す信号を入力できるものでればよい。例えば、調光信号選択部３３は、図７（ｃ）に示すように、分圧抵抗３６ａ，３６ｂからなる抵抗分圧回路で構成されてもよい。この場合、マイコン３０の内部にＡ／Ｄコンバータ（アナログ／デジタル変換器）を設けておく。マイコン３０は、調光信号選択部３３からアナログ電圧が入力されると、Ａ／Ｄコンバータにより電圧レベルを判定し、電圧レベルが所定の閾値以上であるかどうかで２つのモードのどちらが選択されたか判断する。あるいは、例えば、調光信号選択部３３は、電源基板上に搭載され、容易に外部から切り替え可能なスイッチであってもよい。
【００７１】
上記のように、本実施の形態において、調光信号選択部３３は、第１モードと第２モードとを選択的に設定する。制御部２９は、調光信号選択部３３により第１モードが設定されている場合、マイコン３０により計測された調光信号のデューティ比に対応する電流値の電流を第１降圧チョッパ回路２６ａから出力させるとともに、マイコン３０により計測された調光信号の周期に対応する電流値の電流を第２降圧チョッパ回路２６ｂから出力させる。一方、制御部２９は、調光信号選択部３３により前記第２モードが設定されている場合、マイコン３０により計測された調光信号のデューティ比と周期とのいずれか一方に対応する電流値の電流を第１降圧チョッパ回路２６ａと第２降圧チョッパ回路２６ｂとから出力させる。
【００７２】
このように、本実施の形態では、調光信号選択部３３を設けることにより、光源点灯装置２０を、色温度可変の電源装置としても、多数のＬＥＤを接続した高出力の電源装置としても利用できるようにしている。いずれの電源装置として利用する場合にも、マイコン３０に内蔵するソフトウェアや、その他の部品を共通化することができるため、高効率で、より低コストの光源点灯装置２０を提供することができる。
【００７３】
以上のように、本実施の形態では、ＬＥＤ１４ａ，１４ｂを多数接続しなければならない高出力ＬＥＤ点灯装置を、２出力を独立して電流制御を行う必要がある色温度可変ＬＥＤ点灯装置と共有化し、その判別方法を調光信号選択部３３の追加のみで実現できるようにした。よって高出力ＬＥＤ点灯装置の設定時はＬＥＤ１４ａ，１４ｂを全て直列接続とする高効率なＬＥＤ照明器具を実現することができ、色温度可変光源点灯装置の設定時は任意の色温度・光量に設定できるＬＥＤ照明器具を容易に構成することができる。
【００７４】
また、本実施の形態によれば、上記のような光源点灯装置２０を照明器具１０に組み込むことにより、高効率、小型、低コストな色温度可変ＬＥＤ照明器具又は高出力ＬＥＤ照明器具を構成することができる。
【００７５】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００７６】
１０  照明器具、１１  器具本体、１２  電源線、１３  コネクタ、１４ａ，１４ｂ  ＬＥＤ、１５  基板、１６  配線、２０  光源点灯装置、２１  商用交流電源、２２  整流回路、２３  力率改善回路、２４  スイッチング素子、２５  制御ＩＣ、２６ａ  第１降圧チョッパ回路、２６ｂ  第２降圧チョッパ回路、２７ａ，２７ｂ  スイッチング素子、２８ａ，２８ｂ  ＬＥＤ電流検出抵抗、２９  制御部、３０  マイコン、３１  降圧チョッパ制御部、３２  調光コントローラ、３２ａ，３２ｂ  スライド式ボリューム、３３  調光信号選択部、３４  プルダウン抵抗、３５  プルアップ抵抗、３６ａ，３６ｂ  分圧抵抗、４０ａ，４０ｂ  設定テーブル。
【図１】
0005441943.tif 000002
【図２】
0005441943.tif 000003
【図３】
0005441943.tif 000004
【図４】
0005441943.tif 000005
【図５】
0005441943.tif 000006
【図６】
0005441943.tif 000007
【図７】
0005441943.tif 000008